【手続補正書】
【提出日】平成24年3月15日(2012.3.15)
【手続補正１】
【補正対象書類名】明細書
【補正対象項目名】００２０
【補正方法】変更
【補正の内容】
【００２０】
この発明の別の局面に従うと、第１の端末と、第２の端末と、第１のサーバとを含むネットワークシステムにおける通信方法が提供される。通信方法は、第１の端末が、第１の情報を受け付けるステップと、第１の端末が、第１の端末に接続するためのアクセス情報と第１の情報とを第１のサーバへ送信するステップと、第１のサーバが、アクセス情報と第１の情報とを第２の端末へ送信するステップと、第２の端末が、アクセス情報と第１の情報とを第１のサーバから受信するステップと、第２の端末が、第２の情報を受け付けるステップと、第２の端末が、第２の情報を第１のサーバへ送信するステップと、第２の端末が、第１のサーバからの第１の情報と第２の情報とを表示するステップと、第１のサーバが、第２の端末からの第２の情報を第１の端末へ送信するステップと、第１の端末が、第１の情報と第２の端末からの第２の情報とを表示するステップと、第２の端末が、アクセス情報に基づいて、第２の情報の入力が所定の条件を満たすか否かを判断するステップと、第２の端末が、第２の情報の入力が所定の条件を満たす場合に、アクセス情報に基づいて第１の端末との間で第３の情報の交換を行なうステップとを備える。
【手続補正２】
【補正対象書類名】明細書
【補正対象項目名】００２７
【補正方法】変更
【補正の内容】
【００２７】
この発明の別の局面に従うと、第１の端末と、第２の端末と、第１のサーバとを含むネットワークシステムにおける通信方法が提供される。通信方法は、第１の端末が、第１の情報を受け付けるステップと、第１の端末が、第１の端末に接続するためのアクセス情報と第１の情報とを第１のサーバへ送信するステップと、第１のサーバが、アクセス情報と第１の情報とを第２の端末へ送信するステップと、第２の端末が、第１の情報を第１のサーバから受信するステップと、第２の端末が、第２の情報を受け付けるステップと、第２の端末が、第２の情報を第１のサーバへ送信するステップと、第２の端末が、第１のサーバからの第１の情報と第２の情報とを表示するステップと、第１のサーバが、第２の端末からの第２の情報を第１の端末へ送信するステップと、第１の端末が、第１の情報と第２の端末からの第２の情報とを表示するステップと、第１のサーバが、第２の情報の入力が所定の条件を満たすか否かを判断するステップと、第１のサーバが、第２の情報の入力が所定の条件を満たす場合に、アクセス情報の一部を第２の端末へ送信するステップと、第２の端末が、アクセス情報の一部に基づいて第１の端末との間で第３の情報の交換を行なうステップとを含む。
【手続補正３】
【補正対象書類名】特許請求の範囲
【補正対象項目名】全文
【補正方法】変更
【補正の内容】
【特許請求の範囲】
【請求項１】
第１の端末と、第２の端末と、第１のサーバとを備えるネットワークシステムであって、
前記第１の端末は、
第１の情報を受け付ける第１の入力部と、
前記第２の端末と前記第１のサーバと通信するための第１の端末インターフェイスと、
前記第１の情報と前記第２の端末からの第２の情報とを表示する第１のディスプレイと、
前記第１の端末に接続するためのアクセス情報と前記第１の情報とを前記第１の端末インターフェイスを介して前記第１のサーバへ送信する第１の端末制御部とを含み、
前記第１のサーバは、
前記第１の端末と前記第２の端末と通信するためのサーバインターフェイスと、
前記アクセス情報と前記第１の情報とを前記サーバインターフェイスを介して前記第２の端末へ送信し、前記第２の端末からの前記第２の情報を前記サーバインターフェイスを介して前記第１の端末へ送信するサーバ制御部とを含み、
前記第２の端末は、
前記第２の情報を受け付ける第２の入力部と、
前記第１の端末と前記第１のサーバと通信するための第２の端末インターフェイスと、
前記第１のサーバからの前記第１の情報と前記第２の情報とを表示する第２のディスプレイと、
前記アクセス情報と前記第１の情報とを前記第２の端末インターフェイスを介して前記第１のサーバから受信し、前記第２の情報を前記第２の端末インターフェイスを介して前記第１のサーバへ送信する第１の通信制御部と、
前記アクセス情報に基づいて前記第２の情報の入力が所定の条件を満たすか否かを判断する判断部と、
前記第２の情報の入力が前記所定の条件を満たす場合に、前記アクセス情報に基づいて前記第２の端末インターフェイスを介して前記第１の端末との間で第３の情報の交換を行う第２の通信制御部とを含む、ネットワークシステム。
【請求項２】
前記ネットワークシステムは、第２のサーバをさらに備え、
前記アクセス情報は、ルーム名を含み、
前記第１の端末制御部は、前記ルーム名と前記第１の端末を特定するための識別情報とを前記第１の端末インターフェイスを介して前記第２のサーバへ送信し、
前記第２のサーバは、前記ルーム名と前記識別情報とを対応付けて記憶し、
前記第２の通信制御部は、
前記第２の情報の入力が前記所定の条件を満たす場合に、前記第２の端末インターフェイスを介して、前記ルーム名に基づき前記第２のサーバから前記識別情報を取得し、
前記識別情報に基づいて前記第２の端末インターフェイスを介して前記第１の端末と前記第３の情報の交換を行う、請求項１に記載のネットワークシステム。
【請求項３】
前記第１の入力部は、キーワードを受け付け、
前記アクセス情報は、前記キーワードを含み、
前記判断部は、前記第２の情報が前記キーワードを含むか否かを判断することによって、前記第２の情報の入力が所定の条件を満たすか否かを判断する、請求項１または２に記載のネットワークシステム。
【請求項４】
前記アクセス情報は、前記第１の端末が前記第１の情報を送信した第１の時刻を含み、
前記判断部は、前記第１の時刻から前記第２の端末が前記第２の情報を送信した第２の時刻までの時間が第１の時間未満であるか否かを判断することによって、前記第２の情報の入力が前記所定の条件を満たすか否かを判断する、請求項１から３のいずれかに記載のネットワークシステム。
【請求項５】
第２の情報を受け付ける入力部と、
他の端末と第１のサーバと通信するためのインターフェイスと、
前記第１のサーバからの第１の情報と前記第２の情報とを表示するディスプレイと、
前記他の端末に接続するためのアクセス情報と前記第１の情報とを前記インターフェイスを介して前記第１のサーバから受信し、前記第２の情報を前記インターフェイスを介して前記第１のサーバへ送信する第１の通信制御部と、
前記アクセス情報に基づいて、前記第２の情報の入力が所定の条件を満たすか否かを判断する判断部と、
前記第２の情報の入力が前記所定の条件を満たす場合に、前記アクセス情報に基づいて前記インターフェイスを介して前記他の端末との間で第３の情報の交換を行う第２の通信制御部とを備える、通信端末。
【請求項６】
第１の端末と、第２の端末と、第１のサーバとを含むネットワークシステムにおける通信方法であって、
前記第１の端末が、第１の情報を受け付けるステップと、
前記第１の端末が、前記第１の端末に接続するためのアクセス情報と前記第１の情報とを前記第１のサーバへ送信するステップと、
前記第１のサーバが、前記アクセス情報と前記第１の情報とを前記第２の端末へ送信するステップと、
前記第２の端末が、前記アクセス情報と前記第１の情報とを前記第１のサーバから受信するステップと、
前記第２の端末が、第２の情報を受け付けるステップと、
前記第２の端末が、前記第２の情報を前記第１のサーバへ送信するステップと、
前記第２の端末が、前記第１のサーバからの前記第１の情報と前記第２の情報とを表示するステップと、
前記第１のサーバが、前記第２の端末からの前記第２の情報を前記第１の端末へ送信するステップと、
前記第１の端末が、前記第１の情報と前記第２の端末からの前記第２の情報とを表示するステップと、
前記第２の端末が、前記アクセス情報に基づいて、前記第２の情報の入力が所定の条件を満たすか否かを判断するステップと、
前記第２の端末が、前記第２の情報の入力が前記所定の条件を満たす場合に、前記アクセス情報に基づいて前記第１の端末との間で第３の情報の交換を行うステップとを備える、通信方法。
【請求項７】
制御部と、入力部と、ディスプレイと、他の端末と第１のサーバと通信するためのインターフェイスとを含む通信端末における通信方法であって、
前記制御部が、前記他の端末に接続するためのアクセス情報と第１の情報とを前記インターフェイスを介して前記第１のサーバから受信するステップと、
前記入力部が、第２の情報を受け付けるステップと、
前記制御部が、前記第２の情報を前記インターフェイスを介して前記第１のサーバへ送信するステップと、
前記制御部が、前記ディスプレイに前記第１のサーバからの前記第１の情報と前記第２の情報とを表示させるステップと、
前記制御部が、前記アクセス情報に基づいて、前記第２の情報の入力が所定の条件を満たすか否かを判断するステップと、
前記制御部が、前記第２の情報の入力が前記所定の条件を満たす場合に、前記アクセス情報に基づいて前記インターフェイスを介して前記他の端末との間で第３の情報の交換を行うステップとを備える、通信方法。
【請求項８】
制御部と、入力部と、ディスプレイと、他の端末と第１のサーバと通信するためのインターフェイスとを含む通信端末に通信させるための通信プログラムであって、
前記制御部に、
前記他の端末に接続するためのアクセス情報と第１の情報とを前記インターフェイスを介して前記第１のサーバから受信するステップと、
前記入力部を介して第２の情報を受け付けるステップと、
前記第２の情報を前記インターフェイスを介して前記第１のサーバへ送信するステップと、
前記ディスプレイに前記第１のサーバからの前記第１の情報と前記第２の情報とを表示させるステップと、
前記アクセス情報に基づいて、前記第２の情報の入力が所定の条件を満たすか否かを判断するステップと、
前記第２の情報の入力が前記所定の条件を満たす場合に、前記アクセス情報に基づいて前記インターフェイスを介して前記他の端末との間で第３の情報の交換を行うステップとを実行させる、通信プログラム。
【請求項９】
第１の端末と、第２の端末と、第１のサーバとを備えるネットワークシステムであって、
前記第１の端末は、
第１の情報を受け付ける第１の入力部と、
前記第２の端末と前記第１のサーバと通信するための第１の端末インターフェイスと、
前記第１の情報と前記第２の端末からの第２の情報とを表示する第１のディスプレイと、
前記第１の端末と接続するためのアクセス情報と前記第１の情報とを前記第１の端末インターフェイスを介して前記第１のサーバへ送信する第１の端末制御部とを含み、
前記第１のサーバは、
前記第１の端末と前記第２の端末と通信するためのサーバインターフェイスと、
前記アクセス情報に基づいて、前記第２の端末における前記第２の情報の入力が所定の条件を満たすか否かを判断する判断部と、
前記第１の情報を前記サーバインターフェイスを介して前記第２の端末へ送信し、前記第２の端末からの前記第２の情報を前記サーバインターフェイスを介して前記第１の端末へ送信し、前記第２の情報の入力が所定の条件を満たす場合に前記アクセス情報の一部を前記サーバインターフェイスを介して前記第２の端末へ送信するサーバ通信制御部とを含み、
前記第２の端末は、
前記第２の情報を受け付ける第２の入力部と、
前記第１の端末と前記第１のサーバと通信するための第２の端末インターフェイスと、
前記第１のサーバからの前記第１の情報と前記第２の情報とを表示する第２のディスプレイと、
前記第１の情報と前記アクセス情報の一部とを前記第２の端末インターフェイスを介して前記第１のサーバから受信し、前記第２の情報を前記第２の端末インターフェイスを介して前記第１のサーバへ送信する第１の通信制御部と、
前記アクセス情報の一部に基づいて前記第２の端末インターフェイスを介して前記第１の端末との間で第３の情報の交換を行う第２の通信制御部とを含む、ネットワークシステム。
【請求項１０】
前記ネットワークシステムは、第２のサーバをさらに備え、
前記アクセス情報は、ルーム名を含み、
前記第１の端末制御部は、前記ルーム名と前記第１の端末を特定するための識別情報とを前記第１の端末インターフェイスを介して前記第２のサーバへ送信し、
前記第２のサーバは、前記ルーム名と前記識別情報とを対応付けて記憶し、
前記サーバ通信制御部は、前記第２の情報の入力が前記所定の条件を満たす場合に、前記ルーム名を前記アクセス情報の一部として前記サーバインターフェイスを介して前記第２の端末へ送信し、
前記第２の通信制御部は、
前記ルーム名に基づいて前記第２の端末インターフェイスを介して前記第２のサーバから前記識別情報を取得し、
前記識別情報に基づいて前記第２の端末インターフェイスを介して前記第１の端末と前記第３の情報の交換を行う、請求項９に記載のネットワークシステム。
【請求項１１】
前記アクセス情報は、キーワードを含み、
前記判断部は、前記第２の情報が前記キーワードを含むか否かを判断することによって、前記第２の情報の入力が所定の条件を満たすか否かを判断する、請求項９または１０に記載のネットワークシステム。
【請求項１２】
前記アクセス情報は、前記第１の端末が前記第１の情報を送信した第１の時刻を含み、
前記判断部は、前記第１の時刻から前記第２の端末が前記第２の情報を送信した第２の時刻までの時間が第１の時間未満であるか否かを判断することによって、前記第２の情報の入力が前記所定の条件を満たすか否かを判断する、請求項９から１１のいずれかに記載のネットワークシステム。
【請求項１３】
第１の端末と、第２の端末と、第１のサーバとを含むネットワークシステムにおける通信方法であって、
前記第１の端末が、第１の情報を受け付けるステップと、
前記第１の端末が、前記第１の端末に接続するためのアクセス情報と前記第１の情報とを前記第１のサーバへ送信するステップと、
前記第１のサーバが、前記アクセス情報と前記第１の情報とを前記第２の端末へ送信するステップと、
前記第２の端末が、前記第１の情報を前記第１のサーバから受信するステップと、
前記第２の端末が、第２の情報を受け付けるステップと、
前記第２の端末が、前記第２の情報を前記第１のサーバへ送信するステップと、
前記第２の端末が、前記第１のサーバからの前記第１の情報と前記第２の情報とを表示するステップと、
前記第１のサーバが、前記第２の端末からの前記第２の情報を前記第１の端末へ送信するステップと、
前記第１の端末が、前記第１の情報と前記第２の端末からの第２の情報とを表示するステップと、
前記第１のサーバが、前記第２の情報の入力が所定の条件を満たすか否かを判断するステップと、
前記第１のサーバが、前記第２の情報の入力が所定の条件を満たす場合に、前記アクセス情報の一部を前記第２の端末へ送信するステップと、
前記第２の端末が、前記アクセス情報の一部に基づいて前記第１の端末との間で第３の情報の交換を行うステップとを含む、通信方法。